(57)【要約】【課題】本発明は、不陸吸収部材の前後の形状を不均一にし、壁側へ変形しやすい形状とすることで、幅木を押し付けたときに上方へ働く反発力を抑制して施工しやすくし、かつ室内側からの外観が向上する幅木を提供する。【解決手段】本発明は、壁面Ｗと床面Ｆとの境界部分に沿って配置される幅木１であって、壁面Ｗに固定され設けられる板状の本体部１０と、本体部１０の下端に設けられ、断面が中空構造を有し、弾性変形可能な不陸吸収部材２０と、を備え、不陸吸収部材２０は、本体部１０の下端から下方へ延設された後壁部２１と、後壁部２１と対向し、後壁部２１の前側に間隔をあけて設けられ、本体部１０の下端から下方へ延設された前壁部２２と、後壁部２１と前壁部２２との下端を連結する連結部２３と、を含み、連結部２３の中央βは、床面Ｆに当接されるもので、後壁部２１及び前壁部２２の各上端の間隔の中央αよりも壁面Ｗ側にずれて位置している。【選択図】図１
2018044310.tif 000002
【特許請求の範囲】
【請求項１】
壁面と床面との境界部分に沿って配置される幅木において、
前記壁面に固定され設けられる板状の本体部と、
前記本体部の下端に設けられ、内部が中空構造を有し、弾性変形可能な不陸吸収部材と、を備え、
前記不陸吸収部材は、
前記本体部の下端から下方へ延設された後壁部と、
前記後壁部と対向し、前記後壁部の前側に間隔をあけて設けられ、前記本体部の下端から下方へ延設された前壁部と、
前記後壁部と前記前壁部との下端を連結する連結部と、を含み、
前記連結部の中央は、前記床面に当接されるもので、前記後壁部及び前記前壁部の各上端の間隔の中央よりも壁面側にずれて位置している
幅木。
【請求項２】
前記前壁部は、前記連結部から前側斜め上方へ傾斜するように延設された
請求項１に記載の幅木。
【請求項３】
前記不陸吸収部材は、前記連結部を頂点とする尖起形状を有する
請求項１または２に記載の幅木。
【請求項４】
前記後壁部は、前記連結部から前側斜め上方へ傾斜するように延設された
請求項１ないし３のいずれか一項に記載の幅木。
【請求項５】
前記連結部は、略水平な辺形状であり、
前記後壁部及び前記前壁部は、外側へ膨曲した湾曲部を介して前記連結部と連結され、
前記連結部の中央は、前記後壁部及び前記前壁部の各上端の間隔の中央よりも壁面側にずれて位置するように設けられた
請求項１に記載の幅木。
【請求項６】
前記本体部の下端は、下方に開口した係合溝部を有し、
前記不陸吸収部材の上部は、前記後壁部及び前記前壁部の各上端が結合固定される支持基端部と、
前記支持基端部の上方に突設して設けられ、前記係合溝部に挿入係止される支持片部と、を有し、
前記後壁部と前記前壁部と前記連結部とは軟質合成樹脂で、前記支持基端部と前記支持片部とは硬質合成樹脂で形成され、前記不陸吸収部材として一体成形されている
請求項１ないし５のいずれか一項に記載の幅木。
【請求項７】
前記支持片部は、前記支持基端部の前後方向略中央位置から突設されており、
前記後壁部の上端は、前記支持基端部の前後方向略中央位置で固定され、
前記前壁部の上端は、前記支持基端部の前端位置で固定されている
請求項６に記載の幅木。
【発明の詳細な説明】
【技術分野】
【０００１】
本発明は、壁面と床面との境界部分に沿って配置される幅木に関する。
【背景技術】
【０００２】
従来から、壁面と床面との境界部分に沿って配置される幅木は知られている。
【０００３】
例えば、特許文献１には、床面と接する幅木の下部には弾性部材が設けられ、弾性部材は、幅木を施工した際に、幅木と床との間に生じる不陸を吸収し、幅木と床との隙間の発生を防ぐ技術が開示されている。
【０００４】
特許文献１に開示される技術では、幅木の下部に設けられた弾性部材は、床面当接部が中空構造の不陸吸収部材であり、幅木前面の下部から幅木後面側に向けて床面当接部と接触点を設けるＵ字形状で構成されている。
【先行技術文献】
【特許文献】
【０００５】
【特許文献１】特開２００６−２９０３０号公報
【発明の概要】
【発明が解決しようとする課題】
【０００６】
しかしながら、特許文献１に記載のようなＵ字形状の不陸吸収部材では、押し潰されて施工された際、断面が左右対称な形状であることより、床材の上方へ反発力が働きやすくなる。そのため、幅木を押し付けにくく、施工が困難である。また、切れ込みを入れることで押し付け容易としても、施工時に不陸吸収部材が潰れて室内側へ飛び出てしまい、外観が損なわれる恐れがある。
【０００７】
そこで、本発明は、幅木を押し付けたときに上方へ働く反発力を抑制して施工しやすくし、かつ室内側からの外観が向上する幅木を提供することを目的とする。
【課題を解決するための手段】
【０００８】
上記課題を解決するために本発明は、壁面と床面との境界部分に沿って配置される幅木であって、前記壁面に固定され設けられる板状の本体部と、前記本体部の下端に設けられ、断面が中空構造を有し、弾性変形可能な不陸吸収部材と、を備え、前記不陸吸収部材は、前記本体部の下端から下方へ延設された後壁部と、前記後壁部と対向し、前記後壁部の前側に間隔をあけて設けられ、前記本体部の下端から下方へ延設された前壁部と、前記後壁部と前記前壁部を連結する連結部と、を含み、前記連結部は、前記床面に当接されるもので、前記後壁部及び前記前壁部の各上端の間隔の中央よりも壁面側にずれて位置している。
【発明の効果】
【０００９】
上記構成により、幅木を押し付けたときに、不陸吸収部材は壁側へ変形しやすく、床材の上方へ働く反発力が抑制され、押し付けが容易であり、施工しやすく、また不陸吸収部材を目立ちにくくすることができる。
【図面の簡単な説明】
【００１０】
【図１】図１は、実施の形態１における幅木１の全体概要を示す断面図である。
【図２】図２は、実施の形態１における幅木１を取り付けた際の要部断面拡大図である。
【図３】図３（ａ）〜（ｃ）は、実施の形態１における不陸吸収部材２０の変形例の断面図である。
【図４】図４は、実施の形態２における不陸吸収部材２０の断面図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態で示される、形状、材料、構成要素、構成要素の配置位置及び接続形態などは、一例であって本発明を限定する主旨ではない。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態１）
本実施の形態１に係る幅木１の構成について、図１及び図２を参照して説明する。
【００１４】
本実施の形態１の幅木１は、本体部１０と、本体部１０の下部に設けられた不陸吸収部材２０とで構成される。
【００１５】
本体部１０は、矩形形状の板部材であり、後面１１が壁面Ｗの下部に接し、壁面Ｗと床面Ｆの境界部分に沿って取り付けられる。
【００１６】
本体部１０の前面１２の上端寄りには、本体部１０の長さ方向（図のＺ軸方向）に延びる溝部１３が形成されている。溝部１３に釘を打ち込むことで、幅木１を壁面Ｗに取り付ける。
【００１７】
また、本体部１０の下面には、前後方向（図のＸ軸方向）の略中央部に、不陸吸収部材２０を取り付ける係合溝部１４が形成される。係合溝部１４は、下方に開口し、断面が矩形形状であり、本体部１０の長さ方向（図のＺ軸方向）に沿って設けられた凹部である。係合溝部１４には、後述する不陸吸収部材２０の支持片部２５が挿入係止される。
【００１８】
また、本体部１０の下面前端には、角を矩形状に切り欠いた前端凹段部１５が形成されている。
【００１９】
本体部１０は、壁材に合わせた外観にすることが好ましく、材料として、例えば、ＡＢＳ樹脂、即ちアクリロニトル−ブタジエン−スチレン共重合合成樹脂、硬質塩化ビニル樹脂等の合成樹脂、または、合板、単板積層材等の木質材料、および、これらの混合材料等が挙げられる。また、表面に化粧シートを貼着したり、着色してもよい。
【００２０】
なお、本体部１０は、必要に応じて、角部分を曲面状に面取り加工をしておいてもよい。
【００２１】
不陸吸収部材２０は、本体部１０の下部に図のＺ軸方向に沿って設けられ、断面において中空構造を有する弾性変形可能な部材である。不陸吸収部材２０は、床面Ｆと壁面Ｗとの隙間を目隠しし、床面Ｆの不陸に追従して弾性変形可能な弾性部材からなる。不陸吸収部材２０は、後壁部２１、前壁部、連結部２３、支持基端部２４及び支持片部２５から構成される。
【００２２】
後壁部２１は、本体部１０の下端から下方へ延設して設けられる。前壁部２２は、後壁部２１と対向し、後壁部２１の前側に間隔を空けて設けられ、本体部１０の下端から下方へ延設して設けられる。連結部２３は、後壁部２１及び前壁部２２の下端を連結するように設けられ、床面Ｆに当接されるもので、連結部２３の中央βは後壁部２１及び前壁部２２の各上端の間隔の中央αよりも壁面Ｗ側にずれて位置する。このように、不陸吸収部材２０は、後壁部２１、前壁部２２及び連結部２３によって、断面が中空構造となるように形成される。このとき、後壁部２１及び前壁部２２は、断面視においてＹ軸非対称となる形状である。
【００２３】
また、不陸吸収部材２０の上端には、後壁部２１及び前壁部２２の上端が結合固定される支持基端部２４が形成される。さらに、支持基端部２４には、上方に突設した支持片部２５が形成され、支持片部２５が係合溝部１４に挿入されることで、不陸吸収部材２０と本体部１０とが固定される。支持片部２５は、支持基端部２４の前後方向の略中央位置に突設されており、後壁部２１の上端は、支持基端部２４の前後方向略中央位置で結合固定される。前壁部２２の上端は、支持基端部２４の前端位置に固定される。このとき、前壁部２２の上端は、支持基端部２４の上面よりも上方に突出した突出部２６が形成されて結合固定される。突出部２６は、断面が本体部１０の前端凹段部１５に対応した形状であり、前端凹段部１５及び突出部２６が係合するように形成される。
【００２４】
本実施の形態における不陸吸収部材２０は、図１に示すように、後壁部２１は、上端が支持基端部２４の前後方向（Ｘ軸方向）略中央位置に固定され、下方に延設して設けられる。前壁部２２は、上端が支持基端部２４の前端に突出部２６を形成して固定され、下方に延設して設けられる。後壁部２１及び前壁部２２は、下端が連結部２３によって連結される。断面形状において、前壁部２２は、本体部１０から壁面Ｗ側へ傾斜するように延設されている形状であり、後壁部２１は、本体部１０から壁面Ｗ側へ前壁部２２と本体部１０との角度よりも大きく傾斜した形状である。すなわち、不陸吸収部材２０の断面形状は、連結部２３を頂点とする略三角形状となる。また、支持基端部２４の上面の前後方向（Ｘ軸方向）略中央位置には、支持片部２５が設けられる。
【００２５】
後壁部２１、前壁部２２及び連結部２３は、軟質塩化ビニル樹脂等の合成樹脂で形成され、支持基端部２４及び支持片部２５は、硬質塩化ビニル樹脂等の合成樹脂で形成され、押出し成型などによって不陸吸収部材２０として一体成形されていることが好ましい。
【００２６】
上記構成において、幅木１を施工現場の壁面Ｗ及び床面Ｆの境界部に設置する際、図２に示されるように、下部に不陸吸収部材２０を有する本体部１０は、釘等により後面１１が壁面Ｗの下部に接した状態で取り付けられ、不陸吸収部材２０が床面Ｆに押接されるように配置される。
【００２７】
このとき、不陸吸収部材２０は、連結部２３が壁面Ｗ方向へ弾性変形して取り付けられる。不陸吸収部材２０は、壁面Ｗ方向へ倒れて施工されるので、不陸吸収部材２０におけるモーメントが不均一になり、押し付けた際に床面Ｆから働く上方への反発力が抑制され、押し付け施工が容易となる。
【００２８】
また、不陸吸収部材２０は内部が中空構造であるので、取り付ける際、室内側から壁面Ｗ側へ押し込むようにしても、不陸吸収部材２０が室内側へ飛び出すという不具合を抑えることができ、外観を向上することができる。
【００２９】
以上より、本実施の形態は、壁面Ｗと床面Ｆとの境界部分に沿って配置される幅木１であって、壁面Ｗに固定され設けられる板状の本体部１０と、本体部１０の下端に設けられ、内部が中空構造を有し、弾性変形可能な不陸吸収部材２０と、を備え、不陸吸収部材２
０は、本体部１０の下端から下方へ延設された後壁部２１と、後壁部２１と対向し、後壁部２１の前側に間隔をあけて設けられ、本体部１０の下端から下方へ延設された前壁部２２と、後壁部２１及び前壁部２２の下端を連結する連結部２３と、を含み、連結部２３は、床面Ｆに当接されるもので、後壁部２１及び前壁部２２の各上端の間隔の中央αよりも壁面Ｗ側にずれて位置している
これにより、不陸吸収部材２０は壁面Ｗ側へ変形しやすくなり、床材の上方へ働く反発力が抑制されるので、施工の際に押し付けが容易であり、施工しやすくなる。また、不陸吸収部材２０を目立ちにくくすることができる。
【００３０】
また、前壁部２２は、本体部１０から壁面Ｗ側へ傾斜するように延設されていることが好ましい。
また、不陸吸収部材２０は、連結部２３を頂点とする尖起形状を有することが好ましい。また、後壁部２１は、本体部１０から壁面Ｗ側へ傾斜するように延設されていることが好ましい。
【００３１】
いずれかの形状を有することにより、不陸吸収部材２０は、前壁部２２または後壁部２１の傾斜に沿って倒れるので、壁面Ｗ側に倒れやすくなる。
【００３２】
上記形状により、前壁部２２及び後壁部２１を、断面においてＹ軸非対称となる形状とし、連結部２３が壁面Ｗ側で倒れやすい形状とすることで、不陸吸収部材２０に働く力を不均一にすることができる。したがって、床面Ｆから上方へ働く反発力を抑制しやすい。
【００３３】
また、本体部１０の下端は、下方に開口した係合溝部１４を有し、不陸吸収部材２０の上端は、後壁部２１及び前壁部２２の各上端が結合固定される支持基端部２４と、支持基端部２４の上方に突設して設けられ、係合溝部１４に挿入係止される支持片部２５と、を有し、後壁部２１と前壁部２２と連結部２３とは軟質合成樹脂で、支持基端部２４と支持片部２５とは硬質合成樹脂で形成され、不陸吸収部材２０として一体成形されていることが好ましい。
【００３４】
これにより、不陸吸収部材２０は、本体部１０に挿入するだけでよいので、取り付けやすい。また、支持基端部２４及び支持片部２５は、施工した際に、弾性変形可能かつ安定して本体部１０に固定される。
【００３５】
また、支持片部２５は、支持基端部２４の前後方向略中央位置から突設されており、後壁部２１の上端は、支持基端部２４の前後方向略中央位置で固定され、前壁部２２の上端は、支持基端部２４の前端位置で固定されていることが好ましい。
【００３６】
これにより、不陸吸収部材２０が押し潰されて取り付けられた際、壁面Ｗ側にスペースが生じるので、壁面Ｗ寄りに倒れやすい。また、前壁部２２の上端は、支持基端部２４の前端位置で固定されることから、不陸吸収部材２０は、室内側へ飛び出しにくくなる。
【００３７】
なお、上記で説明した不陸吸収部材２０は、断面において、連結部２３を頂点とする略三角形状としたが、傾斜形状や尖起形状を有するものであれば、形状は本実施の形態に限られず、例えば、図３（ａ）〜（ｃ）に示されるような形状であってもよい。図３（ａ）は、前壁部２２及び後壁部２１が本体部１０から壁面Ｗ側へ向かって平行に傾斜し、前壁部２２及び後壁部２１の下端部を連結する連結部２３は、床面Ｆと平行な辺形状を有する。すなわち、下片が壁面Ｗ寄りの平行四辺形形状となる。図３（ｂ）は、後壁部２１は、本体部１０から壁面Ｗ側へ傾斜した形状であり、前壁部２２は、本体部１０から床面Ｆへ垂直に延設し、続いて壁面Ｗ側へ向かって傾斜した形状である。後壁部２１及び前壁部２２の下端は、連結部２３で連結され、連結部２３を頂点とする尖起形状を有する。図３（
ｃ）は、後壁部２１は、本体部１０から床面Ｆへ垂直に延設した形状であり、前壁部２２は、本体部１０から床面Ｆへ垂直に延設し、続いて壁面Ｗ側へ向かって傾斜した形状である。後壁部２１及び前壁部の下端は、連結部２３で連結され、連結部２３を頂点とした尖起形状を有する。
【００３８】
（実施の形態２）
本実施の形態２について図４を用いて説明する。
【００３９】
なお、ここでは、上記実施の形態１と相異する事項についてのみ説明し、その他の事項（構成要素、作用効果等）については、上記実施の形態１と同様であるので、図面において同じ符号を付けてその説明を省略し、特徴等を説明する。
【００４０】
本実施の形態２に係る幅木１は、後壁部２１及び前壁部２２が外側へ膨曲した湾曲部２７を有する形状である点で相異する。
【００４１】
具体的には、図４に示すように、連結部２３は、略水平な辺形状であり、後壁部２１及び前壁部２２は、外側へ膨曲した湾曲部２７を介して連結部２３と連結される。連結部２３の中央βは、後壁部２１及び前壁部２２の各上端の間隔の中央αよりも壁面Ｗ側にずれて位置するように取り付けられる。また、不陸吸収部材２０には、支持基端部２４及び支持片部２５が形成され、本体部１０に形成された係合溝部１４に挿入されることで、不陸吸収部材２０と本体部１０とが係合される。
【００４２】
上記構成において、幅木１を施工現場の壁面Ｗ及び床面Ｆの境界部に設置する際、連結部２３は床面Ｆと当接し、連結部２３の中央が壁面Ｗ寄りに弾性変形して押接される。したがって、不陸吸収部材２０は、壁面Ｗ方向へ倒れて施工されるので、不陸吸収部材２０におけるモーメントが不均一になり、押し付けた際に床面Ｆから働く上方への反発力が抑制され、押し付け施工が容易となる。また、床と当接して設けられるので、幅木１を配置した際、室内側へ不陸吸収部材２０が飛び出しにくくなり、壁面Ｗと幅木１との隙間が生じにくくなる。
【００４３】
以上より、本実施の形態における幅木１は、連結部２３は、略水平な辺形状であり、後壁部２１及び前壁部２２は、外側へ膨曲した湾曲部２７を介して連結部２３と連結され、連結部２３の中央βは、後壁部２１及び前壁部２２の各上端の間隔の中央αよりも壁面Ｗ側にずれて位置するように設けられる。
【００４４】
これにより、押し付けた際に床面Ｆから働く上方への反発力が抑制されつつ、室内側へ不陸吸収部材２０が飛び出しにくくなり、壁面Ｗと幅木１との隙間が生じにくくなる。
【００４５】
なお、本発明は、前述した各実施形態の構成のみに限定されるものではなく、本発明の意図する範囲内であれば、適宜の設計変更を行うことが可能である。
【００４６】
なお、幅木１は、釘を用いて壁面Ｗに設置されるものとしたが、設置の方法は本実施の形態に限られるものではない。
【符号の説明】
【００４７】
１  幅木
１０  本体部
２０  不陸吸収部材
２１  後壁部
２２  前壁部
２３  連結部
Ｗ  壁面
Ｆ  床面
【図１】
2018044310.tif 000003
【図２】
2018044310.tif 000004
【図３】
2018044310.tif 000005
【図４】
2018044310.tif 000006